(57)【特許請求の範囲】
【請求項１】
乗り物用座席の背面に設置された折り畳みテーブルに着脱可能な旅行用ポケット付テーブルクロスであって、
前記折り畳みテーブルの上面を被覆する被覆部が、その一端寄りに設けられる長尺形状のクロスと、
このクロスを前記折り畳みテーブルに固定するために前記被覆部に設けられる固定部と、
前記折り畳みテーブルの上面と接する前記クロスの裏面側に開口部が開口するように、前記クロスの他端寄りに設けられる物品収容用のポケット部と、を備え、
前記クロスが、前記固定部を介して前記折り畳みテーブルに取り付けられた場合に、前記クロスの前記他端が前記乗り物用座席の背面と前記折り畳みテーブルの後側端面の間隙から垂下されることを特徴とする旅行用ポケット付テーブルクロス。
【請求項２】
前記ポケット部は、それぞれ容量の異なる複数の物品収容部を備えることを特徴とする請求項１記載の旅行用ポケット付テーブルクロス。
【請求項３】
前記クロスは、前記一端と、前記他端と、これらを連結する両側端と、が四辺を構成する短冊形状であり、
前記固定部は、前記クロスの裏面側において、前記クロスの一端寄り、及び前記一端と前記クロスの他端との中間部に、それぞれ基端部が取り付けられる１組の固定紐であることを特徴とする請求項１又は請求項２記載の旅行用ポケット付テーブルクロス。
【請求項４】
前記１組の固定紐は、前記クロスの前記両側端付近にそれぞれ設けられることを特徴とする請求項３記載の旅行用ポケット付テーブルクロス。
【請求項５】
前記固定部は、前記折り畳みテーブルの前側端面へ掛止されるように湾曲形状をなす掛止部が形成されることを特徴とする請求項１又は請求項２に記載の旅行用ポケット付テーブルクロス。
【請求項６】
前記複数の物品収容部のうち少なくともいずれかは、その内周に断熱材が設置されることを特徴とする請求項２乃至請求項５のいずれか１項に記載の旅行用ポケット付テーブルクロス。
【発明の詳細な説明】
【技術分野】
【０００１】
本発明は、小物品を収容可能なポケットが備えられたテーブルクロスに係り、特に、乗り物用座席の背もたれ部に沿って吊り下げられる旅行用ポケット付テーブルクロスに関する。
【背景技術】
【０００２】
従来、居室内において、メガネや新聞等の小物品は常にテーブルの上に置かれていることから、散乱しがちであり、小物品の紛失や室内の美観を損ねるという課題があった。
また、外出時においては、上記の小物品は専らバッグ等に収容されて持ち運ばれることから、素早い取り出しが困難な場合があり使い勝手が良好でないという課題があった。
そこで、このような課題を解決する目的で、近年、小物品を収容可能なポケットが備えられたテーブルクロスや、座席やその周辺に装着される物入れが開発されており、それに関して既にいくつかの発明や考案が開示されている。
【０００３】
特許文献１には「テーブルカバー」という名称で、テーブル上に置かれた小物品の整理・整頓が可能なテーブルカバーに関する考案が開示されている。
以下、特許文献１に開示された考案について説明する。特許文献１に開示された考案は、テーブルカバー本体の一方の端部に止め具を、他方の端部に収納袋を設けたことを特徴とする。
このような特徴を備えたテーブルカバーにおいては、止め具をテーブルの縁部に掛けるとともに収納袋をテーブルから垂れ下がるようにすることで、小物品が収納袋に収納されるという作用を有する。したがって、このテーブルカバーによれば、従来のテーブルカバーの役目に加えて、室内の整理・整頓に役立つとともに、小物品を素早く取り出すことができる。
【０００４】
次に、特許文献２には「テーブルポケット」という名称で、テーブルに簡単に装着することが可能なテーブルポケットに関する発明が開示されている。
特許文献２に開示された発明は、裏面を密着性があり滑り止め機能を備えた材質で形成した平面部と、外表面にポケットを形成し上端縁を平面部の側縁に接合したポケット基布とで構成し、平面部をテーブルの表面に配置してポケット基布をテーブルの側縁から垂らし、ポケット基布に形成したポケットに小物を収容するべく使用することを特徴とする。
このような特徴を有するテーブルポケットにおいては、滑り止め機能を備えた材質で形成した平面部によって、テーブルへの掛止が安定するとともに、簡単にポケットが形成されるという作用を有する。したがって、従来の掛止具のように邪魔になる部分がないにも関わらず不用意に外れることを防止できるため、安心して使用することができる。
【０００５】
さらに、特許文献３には「自動車用もの入れ」という名称で、自動車のシートのヘッドレストに吊り下げ可能な自動車用もの入れに関する考案が開示されている。
特許文献３に開示された考案は、ヘッドレストに吊り下げるための紐と自動車シートに固定するための下方に備えた長さの調節可能な紐と、ティッシュ取り出し用の穴を設けた箱ティッシュ用ポケットを備え、布もしくは化学合成素材で作られたことを特徴とする。
このような特徴を有する自動車用もの入れにおいては、箱ティッシュや飲料容器を収容可能なウォールポケット式のもの入れが、運転者や同乗者の邪魔にならない場所に簡単に設置される。したがって、ティッシュの取り出しが容易であり使い勝手が向上することに加え、従来の飲料置きの不安定性等の問題点を解決することができる。
【０００６】
そして、特許文献４には「手荷物収納具」という名称で、遊戯台の周囲に着脱可能な手荷物収納具に関する考案が開示されている。
特許文献４に開示された考案は、上方又は左右方向に開放するポケット部と、ポケット部に連設され、かつ、遊戯台の上方に隣接する壁板に着脱し得る取付部材を具備することを特徴とする。
このような特徴を有する手荷物収納具は、遊戯台の上方に隣接する壁板に取付部材を介して取り付られる。また、ポケット部は、上方又は左右方向に開放しているので、この開放部から遊戯者の手荷物が出し入れされるという作用を有する。したがって、手荷物の出し入れが容易である。さらに、手荷物を遊戯者の膝に置く場合のように手荷物が遊戯の障害にならない。また、遊戯者の視線が届き易い遊戯台の上方に手荷物を収納するため、足元に手荷物を置く場合と相違し、盗難の恐れが少なく、防犯面でも有効である。
【先行技術文献】
【特許文献】
【０００７】
【特許文献１】実願昭５４−３２３８２号（実開昭５５−１３３８８１号）のマイクロフィルム
【特許文献２】特開２００８−９９８０６号公報
【特許文献３】登録実用新案第３０８１８６１号公報
【特許文献４】登録実用新案第３１２７０５８号公報
【発明の概要】
【発明が解決しようとする課題】
【０００８】
しかしながら、特許文献１に開示された考案においては、止め具がＬ字形、コ字形をなす合成樹脂あるいは金属製の部材で形成されているため、掛止可能なテーブルの縁部の形状が限定される。そのため、縁部の形状が止め具の形状と適合しないテーブルの場合には、使用することができない。
また、乗り物用座席の背もたれ部に設置された折りたたみテーブルも様々な形状のものが存在することから、その縁部に上記止め具を掛止不能な場合があるものと考えられる。したがって、このテーブルカバーを旅行用として適用することは困難な可能性がある。
【０００９】
次に、特許文献２に開示された発明においては、元々水平に保持されたテーブルに設置することを目的としていると考えられることから、乗り物用座席に設置されている折り畳みテーブルのようにテーブル面の傾斜が変化する場合では、テーブルへ安定的に掛止することができない。
【００１０】
さらに、特許文献３に開示された考案においては、自動車用もの入れとしてシートのヘッドレストに吊り下げて使用する構成であるため、頻繁に着脱されないような使用態様が想定されている。そのため、この自動車用もの入れを不使用時に畳んで持ち歩くという発想はないことから、折り畳むとかさ張ってしまう構成である。したがって、この自動車用もの入れを電車や飛行機の座席に装着するもの入れとして適用することは困難な可能性がある。
【００１１】
そして、特許文献４に開示された考案においては、手荷物の出し入れが容易であるが、一方で手荷物はポケット部の中に整理されない状態で収容される。そのため、目的の手荷物を素早く取り出すことができないおそれがある。また、本考案に係る手荷物収納具は、シート部、上方バンド、下方バンド、及び連結具などで構成されているため、不使用時にコンパクトに折り畳むことができない。したがって、特許文献３に開示された考案と同様に、この手荷物収納具を旅行用として適用することは困難な可能性がある。
【００１２】
本発明は、このような従来の事情に対処してなされたものであり、乗り物用座席に設置された折り畳みテーブルの形状に関わらずこれに装着することができるとともに、折り畳みテーブルの使用状態に関わらず小物品の容易な出し入れと整理が可能であり、しかも不使用時にはコンパクトに折り畳んで持ち歩くことが可能な旅行用ポケット付テーブルクロスを提供することを目的とする。
【課題を解決するための手段】
【００１３】
上記目的を達成するため、請求項１記載の発明に係る旅行用ポケット付テーブルクロスは、乗り物用座席の背面に設置された折り畳みテーブルに着脱可能な旅行用ポケット付テーブルクロスであって、折り畳みテーブルの上面を被覆する被覆部が、その一端寄りに設けられる長尺形状のクロスと、このクロスを折り畳みテーブルに固定するために被覆部に設けられる固定部と、折り畳みテーブルの上面と接するクロスの裏面側に開口部が開口するように、クロスの他端寄りに設けられる物品収容用のポケット部と、を備え、クロスが、固定部を介して折り畳みテーブルに取り付けられた場合に、クロスの他端が乗り物用座席の背面と折り畳みテーブルの後側端面の間隙から垂下されることを特徴とする。
【００１４】
このような構成の旅行用ポケット付テーブルクロスにおいて、クロスとは、例えば布材や合成樹脂材等の柔軟性部材から構成され、長尺形状であれば短冊形状以外の形状であっても良い。そして、クロスの裏面とは、折り畳みテーブルの上面と接する側の面を指す。
また、固定部としては、例えばクロスと同様に柔軟性布材等から形成された折り畳みテーブルの下面（上面の裏面）を周回する紐状体や、折り畳みテーブルの端面に掛止可能にクロスの一端が袋状となった掛止部等が考えられる。
さらに、ポケット部材は、例えばクロスと同様に柔軟性部材から形成されるほか、小物品の出し入れを容易とするためにある程度の伸縮性部材から構成されても良い。
また、折り畳みテーブルとは、乗り物用座席の背面に設置され、そのテーブル面の傾斜が、乗り物用座席の背面に沿った状態と略水平状態の二通りに交互に変化可能なものをいう。このうち、テーブル面が背面に沿った状態がテーブルを使用しない場合であり、テーブル面が略水平となった状態がテーブルを使用する場合である。
なお、乗り物用座席が、電車、飛行機、バス、自家用自動車等、旅行に利用される乗り物に設置された折り畳みテーブル付きの座席であれば、特に乗り物及び乗り物用座席の種類は限定されない。
【００１５】
上記構成の旅行用ポケット付テーブルクロスにおいては、被覆部が固定部によって折り畳みテーブルに対して固定されると、被覆部が折り畳みテーブルの上面を被覆する。これと同時に、クロスの他端が乗り物用座席の背面と折り畳みテーブルの後側端面の間隙から垂下される。このとき、クロスの裏面とは折り畳みテーブルの上面と接する側の面を指すことから、上記の間隙から垂下されたクロスは、その裏面が利用者に対向することとなる。また、クロスの他端寄りに設けられる物品収容用のポケット部は、クロスの裏面側に開口部が開口するように設けられるため、開口部が利用者に対向した状態でポケット部が折り畳みテーブルを支持体として乗り物用座席の背面に沿って吊り下げられる。
なお、折り畳みテーブルの使用・不使用のいずれにおいても、被覆部が折り畳みテーブルの上面を被覆しつつ、ポケット部が開口部が利用者に対向した状態でポケット部が吊り下げられることには変わりない。したがって、ポケット部が吊り下げられている場合には、折り畳みテーブルの使用・不使用に関わらず、飲料用ボトルや新聞といった小物品が開口部から自在に出し入れされる。
一方、固定部の固定を解除することによって、被覆部は折り畳みテーブルから取り外されるので、旅行用ポケット付テーブルクロスが全体的に取り外される。さらに、クロス、固定部及びポケット部は、いずれも柔軟性部材から構成されるため、取り外された旅行用ポケット付テーブルクロスを任意の形状に小さく折り畳み可能である。
【００１６】
次に、請求項２記載の発明に係る旅行用ポケット付テーブルクロスは、請求項１記載の旅行用ポケット付テーブルクロスにおいて、ポケット部は、それぞれ容量の異なる複数の物品収容部を備えることを特徴とする。
このような構成の旅行用ポケット付テーブルクロスにおいて、容量の異なる複数の物品収容部とは、例えば、新聞や雑誌等を収容する大サイズ、飲料用ボトルを収容する中サイズ、乗車券を収容する小サイズといった、３種類のサイズの組み合わせが考えられる。また、これら複数の物品収容部は、それぞれに収容される小物品の出し入れを互いに阻害しないように配置される。
上記構成の旅行用ポケット付テーブルクロスにおいては、請求項１記載の発明の作用に加え、様々な種類の小物品が複数の物品収容部のそれぞれに適した大きさ毎に整理されて収容される。
【００１７】
さらに、請求項３記載の発明に係る旅行用ポケット付テーブルクロスは、請求項１又は請求項２記載の旅行用ポケット付テーブルクロスにおいて、クロスは、一端と、他端と、これらを連結する両側端と、が四辺を構成する短冊形状であり、固定部は、クロスの裏面側において、クロスの一端寄り、及び一端とクロスの他端との中間部に、それぞれ基端部が取り付けられる１組の固定紐であることを特徴とする。
このような構成の旅行用ポケット付テーブルクロスにおいては、請求項１又は請求項２記載の発明の作用に加え、クロスの被覆部が折り畳みテーブルの上面を被覆した状態で、固定紐同士を折り畳みテーブルの下面を周回するように連結することによって、被覆部が折り畳みテーブルに対して固定される。なお、固定紐同士の連結は、例えば、１組の固定紐の先端部（基端部の反対側）同士を結び合わせたり、それぞれの先端部に面ファスナや点ファスナを設け、これらの先端部を互いに接合させたりすることによって容易に行われる。
また、固定紐同士の連結を解除することにより、被覆部は折り畳みテーブルから容易に取り外される。
【００１８】
続いて、請求項４記載の発明に係る旅行用ポケット付テーブルクロスは、請求項３記載の旅行用ポケット付テーブルクロスにおいて、１組の固定紐は、クロスの両側端付近にそれぞれ設けられることを特徴とする。
このような構成の旅行用ポケット付テーブルクロスにおいては、請求項３記載の発明の作用に加え、クロスの両側端付近にそれぞれ設けられる固定紐同士を折り畳みテーブルの下面を周回するように連結することによって、クロスの一端が折り畳みテーブルの幅方向に平行して取り付けられる。したがって、ポケット部の開口部が略水平に保持される。
【００１９】
そして、請求項５記載の発明に係る旅行用ポケット付テーブルクロスは、請求項１又は請求項２に記載の旅行用ポケット付テーブルクロスにおいて、固定部は、折り畳みテーブルの端面へ掛止されるように湾曲形状をなす掛止部が形成されることを特徴とする。
このような構成の旅行用ポケット付テーブルクロスにおいて、掛止部は、折り畳みテーブルの端面に掛止可能にクロスの一端が袋状となったものが考えられる。なお、この袋状の概念には、例えば封筒等の両側面を形成する「マチ」に相当する部分の厚さが可変である構成や、「マチ」の一部に開放部が備えられる構成も含まれる。
上記構成の旅行用ポケット付テーブルクロスにおいては、請求項１又は請求項２に記載の発明の作用に加え、掛止部によってクロスの被覆部が折り畳みテーブルへ固定される。また、「マチ」に相当する部分の厚さが可変である構成等によって、折り畳みテーブルの形状に関わらず、被覆部が折り畳みテーブルへ固定される。
【００２０】
また、請求項６記載の発明に係る旅行用ポケット付テーブルクロスは、請求項２乃至請求項５のいずれか１項に記載の旅行用ポケット付テーブルクロスにおいて、複数の物品収容部のうち少なくともいずれかは、その内周に断熱材が設置されることを特徴とする。
このような構成の旅行用ポケット付テーブルクロスにおいては、請求項２乃至請求項５のいずれか１項に記載の発明の作用に加え、物品収容部の内周に断熱材が設置されることによって、食品や飲料用ボトルの温度変化が防止される。なお、断熱材は、物品収容部の内周に着脱可能であっても良いし、内周に固着されていても良い。また、断熱材としては、例えば、発泡樹脂といった熱移動を遮断する部材が使用される。
【発明の効果】
【００２１】
本発明の請求項１記載の旅行用ポケット付テーブルクロスによれば、布部材等からなるクロス、固定部、ポケット部材から構成され、部品点数が少ないことから、極めて容易かつ安価に製造することができる。さらに、旅行用ポケット付テーブルクロスは、任意の形状に小さく折り畳み可能であることから、不使用時にかさ張ることがなく、加えて軽量であるので持ち歩く際の負担になることがない。
また、固定部の折り畳みテーブルに対する固定又は固定解除で、ポケット部が折り畳みテーブルを支持体として吊り下げられ、又は旅行用ポケット付テーブルクロスの全体を取り外すことが可能であることから、折り畳みテーブルへの着脱操作も極めて容易である。加えて、固定部が柔軟性部材から構成されるため、折り畳みテーブルの形状に関わらずこれに装着することが可能であり、汎用性が高い。
さらに、折り畳みテーブルの使用・不使用のいずれにおいても、ポケット部がが折り畳みテーブルを支持体として吊り下げられるので、例えば不意に折り畳みテーブルを使用状態から不使用状態へ変化させた場合であっても、ポケット部に収容された小物品が飛び出すことがなく、安定的に小物品を保持することができる。そして、折り畳みテーブルの使用・不使用に関わらず、小物品がポケット部の開口部から自在に出し入れされるため、必要時に小物品を素早く取り出すことが可能であり便利であるとともに、小物品の紛失を防止することができる。
【００２２】
本発明の請求項２記載の旅行用ポケット付テーブルクロスによれば、請求項１記載の発明の効果に加えて、様々な種類の小物品が大きさ毎に整理されて複数の物品収容部に収容されることから、小物品の出し入れをスムーズに行うことが可能であるとともに、特に乗車券のような紛失し易い物品の散逸を防止することができる。
【００２３】
本発明の請求項３記載の旅行用ポケット付テーブルクロスによれば、請求項１又は請求項２記載の発明の効果に加えて、クロスは短冊形状であるため、裁断工程を簡易化することが可能となる。よって、クロスが短冊形状以外の長尺形状をなす場合と比較すると、製造費用をより低廉とすることができる。
また、固定紐同士を折り畳みテーブルの下面を周回するように連結することによって、被覆部が折り畳みテーブルに対して固定されるので、テーブル面が水平状態でない場合にも、被覆部が折り畳みテーブルから外れることを防止することが可能である。
加えて、固定紐同士の連結及び連結の解除は、いずれも容易に行われることから、例えば乗り物が揺れ動いている場合にも手早く装着することができるとともに、乗り物から急いで降りる際にも素早い取り外しが可能である。
【００２４】
本発明の請求項４記載の旅行用ポケット付テーブルクロスによれば、請求項３記載の発明の効果に加えて、クロスの両側端付近にそれぞれ設けられる固定紐同士を折り畳みテーブルの下面を周回するように連結することによって、より確実に被覆部を折り畳みテーブルに固定することができる。加えて、ポケット部の開口部が略水平に保持されるため、例えば乗り物が大きく揺れた場合にも、開口部から小物品が落下することを防止することが可能である。
【００２５】
本発明の請求項５記載の旅行用ポケット付テーブルクロスによれば、請求項１又は請求項２に記載の発明の効果に加えて、掛止部によってクロスの被覆部が折り畳みテーブルへ固定されるので、１組の固定紐と比較して着脱層がより簡易なものとなる。
また、折り畳みテーブルの形状に関わらず、被覆部が折り畳みテーブルへ固定される構成も可能であるので、掛止部の形状が異なる複数種類のクロスを携帯する必要がなく、経済的である。
【００２６】
本発明の請求項６記載の旅行用ポケット付テーブルクロスによれば、請求項２乃至請求項５のいずれか１項に記載の発明の効果に加えて、食品や飲料用ボトルの温度変化が防止されるため、その美味しさを保持できる。
【図面の簡単な説明】
【００２７】
【図１】（ａ）及び（ｂ）は、それぞれ実施例に係る旅行用ポケット付テーブルクロスの表面及び裏面の平面図である。
【図２】実施例に係る旅行用ポケット付テーブルクロスの使用状態を示す側面図である。
【図３】（ａ）及び（ｂ）は、それぞれ実施例に係る旅行用ポケット付テーブルクロスの使用状態を示す斜視図である。
【図４】（ａ）は実施例の第１の変形例に係る旅行用ポケット付テーブルクロスの使用状態を示す平面図であり、（ｂ）は実施例の第２の変形例に係る旅行用ポケット付テーブルクロスの使用状態を示す斜視図である。
【図５】（ａ）は第３の変形例に係る旅行用ポケット付テーブルクロスの使用状態を示す斜視図であり、（ｂ）は実施例の第３の変形例に係る旅行用ポケット付テーブルクロスに設置される断熱材の斜視図である。
【発明を実施するための形態】
【実施例】
【００２８】
本発明の実施の形態に係る旅行用ポケット付テーブルクロスの実施例について、図１乃至図５を参照しながら説明する。図１（ａ）及び図１（ｂ）は、それぞれ実施例に係る旅行用ポケット付テーブルクロスの表面及び裏面の平面図である。また、図２は、実施例に係る旅行用ポケット付テーブルクロスの使用状態を示す側面図である。
図１（ａ）及び図１（ｂ）及び図２に示すように、本実施例に係る旅行用ポケット付テーブルクロス１は、電車の乗り物用座席５０の背面５０ａに設置された折り畳みテーブル５１に着脱可能な旅行用ポケット付テーブルクロスであって、折り畳みテーブル５１の上面５１ａを被覆する被覆部５が、その一端２ａ寄りに設けられるクロス２と、このクロス２を折り畳みテーブル５１に固定するために被覆部５に設けられる固定部３と、折り畳みテーブル５１の上面５１ａと接するクロス２の裏面２ｅ側に開口部８ａ〜１０ａが開口するように、クロス２の他端２ｂ寄りに設けられる物品収容用のポケット部４と、を備える。
このうち、クロス２は、一端２ａと、他端２ｂと、これらを連結する側端２ｃ，２ｄと、が四辺を構成する短冊形状である。具体的には、クロス２の基材は、長さ９０ｃｍ、幅３３ｃｍのサイズを有する木綿製の布材である。このうち、短辺の一方が一端２ａであり、短辺の他方が長さ２０ｃｍ、幅３３ｃｍの大きさで折り返されて山折りとなった部分が他端２ｂである。したがって、クロス２を正面視した場合のサイズは、長さ７０ｃｍ、幅３３ｃｍとなる。
なお、図１における乗り物用座席５０は電車に設置された座席であるが、旅行用ポケット付テーブルクロス１は、飛行機、バス、自家用自動車等、旅行に利用される乗り物に設置された折り畳みテーブル付きの座席であれば、乗り物の種類や乗り物用座席の種類を問わず適用が可能である。
【００２９】
また、図１（ｂ）に示すように、固定部３は、クロス２の裏面２ｅ側において、クロス２の一端２ａ寄り、及び一端２ａとクロス２の他端２ｂとの中間部に、それぞれ基端部６ａ，７ａが取り付けられる１組の固定紐６，７である。この１組の固定紐６，７は、クロス２の側端２ｃ，２ｄ付近にそれぞれ設けられる。なお、１組の固定紐６，７は、具体的には、長さ３３ｃｍ、幅１ｃｍ程度のサイズを有する細い短冊状の木綿製の布材である。
さらに、ポケット部４は、それぞれ容量の異なる３種類の物品収容部８〜１０を備える。具体的には、物品収容部８，９は、クロス２の基材が折り返された長さ２０ｃｍ、幅３３ｃｍの部分が、裏面２ｅに対し、側端２ｃ，２ｄと、縫着線２ｆと、において縫着されることで形成される。すなわち、物品収容部８は長さ２０ｃｍ、幅１４ｃｍであり、物品収容部９は長さ２０ｃｍ、幅１９ｃｍである。さらに、物品収容部１０は、長さ１３ｃｍ、幅１９ｃｍの木綿製の布材が物品収容部９の表面に対し、他端２ｂと、側端２ｃと、縫着線２ｆと、において縫着されることで形成される。すなわち、これら物品収容部８〜１０の開口部８ａ〜１０ａは、それらに収容される小物品の出し入れを互いに阻害しないように配置されている。
【００３０】
本実施例に係る旅行用ポケット付テーブルクロス１においては、図２に示すように、クロス２が、固定部３（固定紐６，７）を介して折り畳みテーブル５１に取り付けられた場合に、クロス２の他端２ｂが乗り物用座席５０の背面５０ａと折り畳みテーブル５１の後側端面５１ｄの間隙５２から垂下される。すなわち、クロス２の被覆部５が折り畳みテーブル５１の上面５１ａを被覆した状態で、固定紐６，７をそれぞれ折り畳みテーブル５１の前側端面５１ｃと後側端面５１ｄに振り分け、さらに固定紐６，７同士を折り畳みテーブル５１の下面５１ｂを周回するように連結することによって、被覆部５が折り畳みテーブル５１に対して固定される。このとき、物品収容部８〜１０は利用者側に対向することとなる（図中矢印）。したがって、飲料用ボトル１７（図５参照）等の小物品が、物品収容部８〜１０のそれぞれに適した大きさ毎に整理されて収容され、折り畳みテーブル５１を支持体として保持される。
また、１組の固定紐６，７は、クロス２の側端２ｃ，２ｄ付近にそれぞれ設けられることから、これら固定紐６，７同士を下面５１ｂを周回するように連結することによって、クロス２の一端２ａが折り畳みテーブル５１の幅方向に平行して取り付けられる。したがって、物品収容部８〜１０に小物品を収容した場合に、開口部８ａ〜１０ａが水平に保持される。
【００３１】
次に、本実施例に係る旅行用ポケット付テーブルクロスの使用状態について、図３を参照しながら説明する。図３（ａ）及び図３（ｂ）は、それぞれ実施例に係る旅行用ポケット付テーブルクロス１の使用状態を示す斜視図である。なお、図１及び図２で説明した構成要素と同一の構成要素は、図３においても同一の符号を付してその説明を省略する。
図３（ａ）に示すように、折り畳みテーブル５１の上面５１ａが略水平となった場合、すなわち折り畳みテーブル５１の使用時において、ポケット部４の物品収容部８〜１０が折り畳みテーブル５１を支持体として乗り物用座席５０の背面５０ａに沿って吊り下げられる。
図３（ｂ）に示すように、折り畳みテーブル５１の上面５１ａが背面５０ａに沿った場合、すなわち折り畳みテーブル５１を留め具５３で固定する不使用時においても、物品収容部８〜１０が同様に背面５０ａに沿って吊り下げられる。
一方、固定紐６，７の連結を解くことによって、被覆部５は、間隙５２（図２参照）を通過して折り畳みテーブル５１から取り外される。その結果、旅行用ポケット付テーブルクロス１が全体的に取り外される。また、クロス２、固定紐６，７及び物品収容部８〜１０は、いずれも柔軟性を有する木綿製の布材から構成されるため、取り外された旅行用ポケット付テーブルクロス１を任意の形状に小さく折り畳み可能である。
【００３２】
また、図２に示すように、物品収容部８〜１０の開口部８ａ〜１０ａが利用者側に対向するため、小物品が容易に収容されるとともに目的の小物品が素早く取り出される。加えて、図３（ａ）及び図３（ｂ）に示すように、小物品は、乗り物用座席５０の背面５０ａに沿って折り畳みテーブル５１の下面５１ｂの下方に吊り下げられるので、利用者が着座している場合や、折り畳みテーブル５１を不使用時において物品収容部８〜１０の傍を利用者が通過する場合であっても、利用者の足部や荷物等が物品収容部８〜１０に衝突し難い。
【００３３】
以上説明したように、本実施例に係る旅行用ポケット付テーブルクロス１によれば、柔軟性を有する布材からなるクロス２、固定部３、ポケット部４から構成され、特に折り畳みテーブル５１に対し、クロス２の被覆部５及び固定紐６，７によって固定されることから、折り畳みテーブル５１の形状に関わらずこれに装着することができる。
また、上記のように部品点数が少ないことと、クロス２は短冊形状に形成されることから、製造工程が簡易であり、旅行用ポケット付テーブルクロス１を極めて容易かつ安価に製造することができる。さらに、旅行用ポケット付テーブルクロス１は、任意の形状に小さく折り畳み可能であるため、不使用時にかさ張ることがなく、加えて軽量であるので持ち歩く際の負担になることがない。
【００３４】
また、固定紐６，７同士の連結や連結解除は、簡単に行うことが可能であるので、旅行用ポケット付テーブルクロス１の着脱操作も極めて容易である。
そして、旅行用ポケット付テーブルクロス１を折り畳みテーブル５１に固定した後は、開口部８ａ〜１０ａが利用者側に対向することとなることから、スムーズに小物品を収容可能であり、使い勝手が良好である。加えて、小物品が大きさ毎に整理されて物品収容部８〜１０に収容され、さらに物品収容部８〜１０はそれぞれに収容される小物品の出し入れを互いに阻害しないように配置されることから、小物品の容易な出し入れと整理が可能であり、特に乗車券のような紛失し易い物品の散逸を防止することができる。なお、このような効果は折り畳みテーブル５１の使用・不使用のいずれにおいても発揮されるため、折り畳みテーブル５１の傾斜を急激に変化させた場合においても安定的に小物品を保持することができる。そのため、旅行者の乗り物用座席周辺の整理・整頓に役立ち、移動時間が長時間に亘る場合であれば、その間のストレスを軽減することができる。
さらに、固定紐６，７同士を折り畳みテーブル５１の下面５１ｂを周回するように連結することによって、より確実に被覆部５を折り畳みテーブルに固定することができる。加えて、開口部８ａ〜１０ａが略水平に保持されるため、例えば乗り物が大きく揺れた場合にも、開口部８ａ〜１０ａから小物品が落下することを防止することが可能である。
【００３５】
続いて、実施例に係る第１及び第２の変形例について、図４を用いて詳細に説明する。図４（ａ）は実施例の第１の変形例に係る旅行用ポケット付テーブルクロスの使用状態を示す平面図であり、図４（ｂ）は実施例の第２の変形例に係る旅行用ポケット付テーブルクロスの使用状態を示す斜視図である。なお、図１乃至図３で説明した構成要素と同一の構成要素は、図４においても同一の符号を付してその説明を省略する。
図４（ａ）は、折り畳みテーブル５１を不使用の状態であって、下面５１ｂが正面視される場合である。図４（ａ）に示すように、実施例の第１の変形例に係る旅行用ポケット付テーブルクロス１１は、固定紐６，７の先端部６ｂ，７ｂに、それぞれ面ファスナ１２ａ，１２ｂ（斜線部）が縫着される。旅行用ポケット付テーブルクロス１１におけるこの他の構成は、実施例に係る旅行用ポケット付テーブルクロス１と同様である。
図４（ｂ）は、折り畳みテーブル５１を傾斜させた状態であって、下面５１ｂが斜視される場合である。図４（ｂ）に示すように、実施例の第２の変形例に係る旅行用ポケット付テーブルクロス１３は、一端２ａ寄りに、折り畳みテーブル５１の前側端面５１ｃへ掛止されるように湾曲形状をなす掛止部１４が形成される。この湾曲形状は、掛止部１４の左右端と、側端２ｄ，２ｃ間をそれぞれ連結する掛止帯１４ａ，１４ｂによって、形成される。そのため、掛止部１４の両側端面には、一部が開放された構造となっている。なお、掛止帯１４ａ，１４ｂは、長さ１０ｃｍ、幅１ｃｍ程度のサイズを有する細い短冊状の木綿製の布材である。また、掛止帯１４ａ，１４ｂの長さは、一般的な折り畳みテーブル５１の厚さ（およそ２ｃｍ以下）よりもやや長めであることが望ましい。旅行用ポケット付テーブルクロス１３におけるこの他の構成は、実施例に係る旅行用ポケット付テーブルクロス１と同様である。
なお、本変形例では、折り畳みテーブル５１の前側端面５１ｃに旅行用ポケット付テーブルクロス１３の一端２ａ側が掛止されるので、乗り物用座席５０の背面５０ａに設けられた留め具５３がクロス２の厚みで留まらない場合も考えられる。その場合には、図４（ｂ）に示すように切欠部５４を設けて折り畳みテーブル５１の前側端面５１ｃを露出させることで、クロス２の厚み分を回避可能である。また、このような切欠部５４は本変形例に留まらず、実施例の旅行用ポケット付テーブルクロス１の一端２ａに設けてもよい。
【００３６】
そして、実施例に係る第３の変形例について、図５を用いて詳細に説明する。図５（ａ）は第３の変形例に係る旅行用ポケット付テーブルクロスの使用状態を示す斜視図であり、図５（ｂ）は実施例の第３の変形例に係る旅行用ポケット付テーブルクロスに設置される断熱材の斜視図である。なお、図１乃至図４で説明した構成要素と同一の構成要素は、図５においても同一の符号を付してその説明を省略する。
次に、実施例の第３の変形例に係る旅行用ポケット付テーブルクロス１５は、物品収容部８〜１０のうち少なくともいずれかは、その内周に断熱材１６が設置される。このうち、図５（ａ）は、物品収容部９の内周に断熱材１６が設置された場合を示したものである。また、断熱材１６は、ポリエチレン等の発泡樹脂製であって、図５（ｂ）に示すように、挿入口１６ａと、筒状部１６ｂと、底部１６ｃと、筒状部１６ｂの表面に縫着された面ファスナ１６ｄと、から構成される。
この面ファスナ１６ｄは、物品収容部９の内部の後面に縫着された面ファスナ１６ｅに対して接合・取り外し可能である。そのため、断熱材１６は、面ファスナ１６ｅ，１６ｄを介して物品収容部９に対し着脱可能に設置され、飲料用ボトル１７をその内部へ収容可能である。なお、飲料用ボトル１７は、ペットボトルや哺乳瓶、あるいは水筒等であり、特に飲料の種類や温度、又は容器の種類によって限定されない。さらに、物品収容部８の内部には新聞１８が収容されているが、この他にも物品収容部８〜１０に収容される物品は、雑誌、携帯電話、タブレット等の小物品であれば、特に限定されない。
旅行用ポケット付テーブルクロス１５におけるこの他の構成は、実施例に係る旅行用ポケット付テーブルクロス１と同様である。
【００３７】
続いて、旅行用ポケット付テーブルクロス１１，１３，１５の作用について詳細に説明する。
まず、旅行用ポケット付テーブルクロス１１においては、固定紐６，７の先端部６ｂ，７ｂにおける面ファスナ１２ａ，１２ｂの接合と切り離しがワンタッチで行われる。
次に、旅行用ポケット付テーブルクロス１３においては、掛止部１４によってクロス２の被覆部５が折り畳みテーブル５１の前側端面５１ｃへ固定される。これは、折り畳みテーブル５１を使用・不使用のいずれにおいても同様である。また、掛止帯１４ａ，１４ｂの長さを一般的な折り畳みテーブル５１の厚さよりもやや長めとすることで、異なる厚さを有する様々な折り畳みテーブル５１の前側端面５１ｃに対しても掛止部１４が掛止される。
さらに、旅行用ポケット付テーブルクロス１５においては、物品収容部８〜１０のうち少なくともいずれかの内周に断熱材１６が設置されることによって、飲料用ボトル１７等が保温される。旅行用ポケット付テーブルクロス１１，１３，１５におけるこの他の作用は、実施例１に係る旅行用ポケット付テーブルクロス１と同様である。
【００３８】
以上説明したように、旅行用ポケット付テーブルクロス１１，１３によれば、実施例に係る旅行用ポケット付テーブルクロス１と比較して、より手早く被覆部５を折り畳みテーブル５１へ着脱することができる。
加えて、旅行用ポケット付テーブルクロス１３によれば、掛止部１４が掛止される折り畳みテーブル５１の厚さが限定されないので、汎用性が高く、また、掛止部の形状が異なる複数種類の旅行用ポケット付テーブルクロス１３を携帯する必要がなく、経済的である。
また、旅行用ポケット付テーブルクロス１５によれば、保温効果によって飲料用等の美味しさを保持できることから、旅行をより快適なものとすることが可能である。また、断熱材１６が物品収容部８〜１０の内周に着脱可能であるため、断熱材１６のみを交換可能である。よって、物品収容部８〜１０の内部の清潔性を保持することができる。旅行用ポケット付テーブルクロス１１，１３，１５におけるこの他の作用は、実施例１に係る旅行用ポケット付テーブルクロス１と同様である。
【００３９】
なお、本発明の旅行用ポケット付テーブルクロス１，１１，１３，１５は本実施例に示すものに限定されない。例えば、旅行用ポケット付テーブルクロス１の材質は、布材以外にも柔軟性を有する合成樹脂材であっても良い。また、固定紐６，７は、ゴム部材で形成されても良く、ポケット部４の物品収容部は、物品収容部８〜１０以外の個数や配置であっても良い。また、物品収容部８，９は、クロス２の基材が折り返されるのではなく、布材がクロス２の裏面２ｅに対し、他端２ｂと、側端２ｃ，２ｄと、縫着線２ｆと、において縫着されることで形成されても良い。
次に、旅行用ポケット付テーブルクロス１１の固定紐６，７の先端部６ｂ，７ｂには、面ファスナ１２ａ，１２ｂの代わりに点ファスナが縫着されても良い。
また、旅行用ポケット付テーブルクロス１３の掛止帯１４ａ，１４ｂをゴム部材としても良い。また、掛止部１４の左右端と、側端２ｃ，２ｄ間をそれぞれ縫い合わせることで、掛止部１４の両側端面が閉鎖された構造となっても良い。
この他、旅行用ポケット付テーブルクロス１５では、熱線反射層としてアルミニウム箔が断熱材１６の筒状部１６ｂの外周を被覆するように貼着されても良い。
【産業上の利用可能性】
【００４０】
本発明は、飛行機、電車、バスの他、自家用自動車等の乗り物を利用した旅行の際に、これらの乗り物に設置された乗り物用座席の背面に設置された折り畳みテーブルに着脱可能な旅行用ポケット付テーブルクロスとして利用可能である。
【符号の説明】
【００４１】
１…旅行用ポケット付テーブルクロス  ２…クロス  ２ａ…一端  ２ｂ…他端  ２ｃ，２ｄ…側端  ２ｅ…裏面  ２ｆ…縫着線  ３…固定部  ４…ポケット部  ５…被覆部  ６，７…固定紐  ６ａ，７ａ…基端部  ６ｂ，７ｂ…先端部  ８〜１０…物品収容部  ８ａ〜１０ａ…開口部  １１…旅行用ポケット付テーブルクロス  １２ａ，１２ｂ…面ファスナ  １３…旅行用ポケット付テーブルクロス  １４…掛止部  １４ａ，１４ｂ…掛止帯  １５…旅行用ポケット付テーブルクロス  １６…断熱材  １６ａ…挿入口  １６ｂ…筒状部  １６ｃ…底部  １６ｄ，１６ｅ…面ファスナ  １７…飲料用ボトル  １８…新聞  ５０…乗り物用座席  ５０ａ…背面  ５１…折り畳みテーブル  ５１ａ…上面  ５１ｂ…下面  ５１ｃ…前側端面  ５１ｄ…後側端面  ５２…間隙  ５３…留め具  ５４…切欠部
【要約】
【課題】乗り物用座席に設置された折り畳みテーブルに装着することができるとともに、小物品の容易な出し入れと整理が可能であり、しかも不使用時にはコンパクトに折り畳んで持ち歩くことが可能な旅行用ポケット付テーブルクロスを提供する。
【解決手段】乗り物用座席５０の背面５０ａに設置された折り畳みテーブル５１に着脱可能であって、折り畳みテーブル５１の上面５１ａを被覆する被覆部５が、一端２ａ寄りに設けられる長尺形状のクロス２と、クロス２を折り畳みテーブル５１に固定するために被覆部５に設けられる固定部３と、上面５１ａと接するクロス２の裏面２ｅに開口部８ａ〜１０ａが開口するように、他端２ｂ寄りに設けられるポケット部４と、を備え、クロス２が、固定部３を介して折り畳みテーブル５１に取り付けられた場合に、他端２ｂが間隙５２から垂下される。
【選択図】図２【図１】
0005654174.tif 000002
【図２】
0005654174.tif 000003
【図３】
0005654174.tif 000004
【図４】
0005654174.tif 000005
【図５】
0005654174.tif 000006